(57)【要約】      （修正有）【課題】余分な突出物がなくて使用心地がよく、使用しないときには、非常に小さく纏めておくことができる正座用補助椅子を提供する。【解決手段】椅子本体１１の上下両面を中空な中吊りによって連結するとともに、この中吊りの上面１１ａ側内に外部からの収納が可能な収納部１４を形成して、椅子本体１１を手提げ袋１２内に入れるとともに、この手提げ袋１２の閉じた口部１２ａ及びこれを閉じた閉じ紐１５を、収納部１４内に収納できる。【選択図】図３
2011218031.tif 000002
【特許請求の範囲】
【請求項１】
軟質材料からなり、空気室に空気を満たした椅子本体を手提げ袋内に入れて使用する正座用補助椅子であって、
前記椅子本体の上下両面を中空な中吊りによって連結するとともに、この中吊りの前記上面側内に外部からの収納が可能な収納部を形成して、
前記椅子本体を前記手提げ袋内に入れるとともに、この手提げ袋の閉じた口部及びこれを閉じた閉じ紐を、前記収納部内に収納できるようにしたことを特徴とする正座用補助椅子。
【発明の詳細な説明】
【技術分野】
【０００１】
本発明は、正座用補助椅子に関し、空気を出し入れすることにより、使用のために大きくしたり、使用しないときの片づけのために小さくできて、軟質材料からなる椅子本体を有した正座用補助椅子に関するものである。
【背景技術】
【０００２】
日本の生活の中では、例えば法事、茶席、集会等において、まだまだ「正座」しなければならない機会がある。この「正座」は、これに慣れていない若い人や、足腰が弱ってきている高齢者にとって苦痛である。
【０００３】
そのため、座板を少し高くした座椅子や、特許文献１にて「携帯用正座椅子」、あるいは特許文献２にて「正座用補助具」が提案されている。
【先行技術文献】
【特許文献】
【０００４】
【特許文献１】特開２００５−２６１８２３号公報、要約
【特許文献２】特開２００７−１５９６８１号公報、要約
【発明の概要】
【発明が解決しようとする課題】
【０００５】
特許文献１にて提案されている「携帯用正座椅子」は、「折畳みが容易な上、簡単に使用状態に展開でき、なおかつ軽量小型で携帯に便利であること、利用者の体形に合わせた高さ調節が可能であること、生産上では量産が可能である携帯用正座椅子を提供すること」を目的としたもので、図５に示すような構成を有したものである。
【０００６】
すなわち、この特許文献１にて提案されている「携帯用正座椅子」は、「尻を着座させる座板と、該座板の両端をＶ字状に支える脚とから成る」ものであり、言わば「固い」ものであって、長時間使用するには少し難があると考えられる。
【０００７】
一方、特許文献２にて提案されている「正座用補助具」は、「従来の正座具は、重く、空気のものは横ずれに対する対策がなく、四角いものは破裂する事があった。カバー部でファスナー等によるストッキングのデンセン、引っかき傷があった」点を改善すべくなされたもので、図６にも示すように、「内部の空気量で高さ調整、重さから開放される。畳める、そのまま持てる取っ手付きカバー、金属を排除し丸型にすることで破裂、怪我の危険から開放、耐久性を得る。内部に柱を設けて横ずれ、転倒を防止する」といった構成あるいは機能を有したものである。
【０００８】
そして、この特許文献２の段落００１３には、
「図１は正座用補助具として実施形態を表したもので本体空気袋とそれを収納する袋状のカバーから構成される。本体内部の空気圧の変化に応じて膨脹または収縮しうる、座るという事を念頭に計算された配合の軟質材料で作製されたシート１を天面、シート３を底面に配置し、円柱状に繋いだ同素材の５を天面１と底面３の各４位置に溶着させる。尚円柱部５には（図２）展開図内５の側面に空気穴９を開けることで内部空気を共有する事となる。」
なる記載があることから、特許文献１のものとは異なって、空気や軟質材料の「軟質性」を有したものとなっていると考えられるが、その具体的構成がよく理解できないものとなっている。
【０００９】
確かに、この引用文献２が述べてもいるように、この種の補助椅子に関しては、通常はこれに直接着座するものであるから、ファスナー等の突出するものがない方がよいことは確かであり、突出しそうなものについてはどこかに片づけておきたいものである。
【００１０】
そこで、本発明者等は、この種の正座用補助椅子１０について、余分な突出物がなくて使用心地がよく、使用しないときには非常に小さくことができるものにするにはどうしたらよいか、について種々検討を重ねてきた結果、本発明を完成したのである。
【００１１】
すなわち、本発明の目的とするところは、余分な突出物がなくて使用心地がよく、使用しないときには、非常に小さく纏めておくことができる正座用補助椅子１０を、簡単な構成によって提供することにある。
【課題を解決するための手段】
【００１２】
以上の課題を解決するために、本発明の採った手段は、後述する最良形態の説明中で使用する符号を付して説明すると、
「軟質材料からなり、空気室１６に空気を満たした椅子本体１１を手提げ袋１２内に入れて使用する正座用補助椅子１０であって、
椅子本体１１の上下両面１１ａ・１１ｂを中空な中吊り１３によって連結するとともに、この中吊り１３の上面１１ａ側内に外部からの収納が可能な収納部１４を形成して、
椅子本体１１を手提げ袋１２内に入れるとともに、この手提げ袋１２の閉じた口部１２ａ及びこれを閉じた閉じ紐１５を、収納部１４内に収納できるようにしたことを特徴とする正座用補助椅子１０」
である。
【００１３】
すなわち、本発明に係る正座用補助椅子１０は、軟質材料によって形成されて、空気室１６を有する椅子本体１１と、この椅子本体１１を収納する椅子本体１１とは完全に別体の手提げ袋１２とからなっているものであり、使用時には、図４の（ａ）及び（ｂ）に示すように、空気室１６に空気を満たした椅子本体１１を手提げ袋１２内に入れるものである。
【００１４】
この正座用補助椅子１０を構成している椅子本体１１は、その全体を軟質合成樹脂シートによって形成したものであり、図２に示すように、その上下両面１１ａ・１１ｂを中空な中吊り１３によって連結するとともに、この中吊り１３の上面１１ａ側内に外部からの収納が可能な収納部１４を形成したものであって、図２の（ａ）にも示すように、この椅子本体１１だけで既に正座用補助椅子１０としての十分な機能を有したものである。
【００１５】
また、この椅子本体１１は、図２の（ｂ）に示すように、中吊り１３の周囲に空気室１６が形成されていて、この空気室１６内には、図２の（ａ）にも示すような空気口１７によって空気の出し入れができるようになっている。つまり、この椅子本体１１は、その内部が上述した軟質合成樹脂シートによって気密状態に維持されているのであり、この椅子本体１１の空気室１６内に空気口１７から空気を出し入れすることによって、図１の（ｂ）に示すような折り畳み状態と、図２に示すような使用のための膨張状態とに適宜変更できるものである。
【００１６】
手提げ袋１２は、図１及び図３に示すように、折り畳み状態であっても、膨張状体であっても、上述した椅子本体１１を内部に入れることができるものである。また、この手提げ袋１２は、図３の（ａ）及び（ｂ）に示すように、口部１２ａ及びこれを閉じるための閉じ紐１５を有しているものである。
【００１７】
この正座用補助椅子１０を使用するには、図３の（ａ）に示すように、膨張させた椅子本体１１を手提げ袋１２内に入れるのであるが、その際に、椅子本体１１の上面１１ａが手提げ袋１２の口部１２ａ側になるようにする。そうすると、上面１１ａに形成されている収納部１４が開口することになるから、手提げ袋１２の口部１２ａやこれを閉じるための閉じ紐１５をこの収納部１４内に押し込めるのである。
【００１８】
そして、図４の（ｂ）に示すように、この収納部１４を下側にして畳や座布団の上に置き、図４の（ａ）に示すように、この正座用補助椅子１０に着座あるいは正座するのである。このとき、閉じられた手提げ袋１２の口部１２ａやその閉じ紐１５は、図４の（ｂ）に示すように、畳や座布団側になった収納部１４内に収納されて突出することがないから、畳や座布団の上に置かれた当該正座用補助椅子１０は安定した状態になるだけでなく、見苦しくもないものとなる。
【００１９】
また、閉じられた手提げ袋１２の口部１２ａやその閉じ紐１５は、収納部１４内に収納されて突出することがないから、椅子本体１１の平らな下面１１ｂが上側になるようにして使用すれば、この下面１１ｂの外側になっている手提げ袋１２には何らの突出物もないのであるから、これにお尻が当たっても何らの違和感もない。
【００２０】
勿論、使用しないときには、手提げ袋１２から取り出した椅子本体１１の空気口１７によって空気を排出すれば、図１の（ｂ）に示すように、当該椅子本体１１が小さく折り畳めるし、図１の（ａ）に示すように、この折り畳んだ椅子本体１１を手提げ袋１２内に収納すれば、バンドバッグ内にも入れることができる程度にコンパクトなものとすることができる。
【００２１】
従って、本発明に係る正座用補助椅子１０は、使用心地がよく、使用しないときには、非常に小さく纏めておくことができるものとなっているのである。
【発明の効果】
【００２２】
以上、説明した通り、本発明は、
「軟質材料からなり、空気室１６に空気を満たした椅子本体１１を手提げ袋１２内に入れて使用する正座用補助椅子１０であって、
椅子本体１１の上下両面１１ａ・１１ｂを中空な中吊り１３によって連結するとともに、この中吊り１３の上面１１ａ側内に外部からの収納が可能な収納部１４を形成して、
椅子本体１１を手提げ袋１２内に入れるとともに、この手提げ袋１２の閉じた口部１２ａ及びこれを閉じた閉じ紐１５を、収納部１４内に収納できるようにしたこと」
にその構成上の特徴があり、これにより、使用心地がよく、使用しないときには、非常に小さく纏めておくことができる正座用補助椅子１０を、簡単な構成によって提供することができるのである。
【図面の簡単な説明】
【００２３】
【図１】本発明に係る縮めた状態の正座用補助椅子１０を示すもので、（ａ）は平面図、（ｂ）は部分拡大縦断面図である。
【図２】同正座用補助椅子１０を構成していて、空気室１６内に空気を満たしたときの椅子本体１１を示すもので、（ａ）は斜視図、（ｂ）は縦断面図である。
【図３】同正座用補助椅子１０を構成している手提げ袋１２内に椅子本体１１を収納して、当該正座用補助椅子１０を使用状態にしようとしている様子を示すもので、（ａ）は手提げ袋１２の口部１２ａを開いた状態の斜視図、（ｂ）は椅子本体１１の収納部１４内に口部１２ａ及び閉じ紐１５を収納したときの斜視図である。
【図４】同正座用補助椅子１０の使用状態を示すもので、（ａ）は使用者が着座しているときの部分背面図、（ｂ）は（ａ）で示した正座用補助椅子１０の縦断面図である。
【図５】特許文献１に示された技術を示す斜視図である。
【図６】特許文献２に示された技術を示す斜視図である。
【発明を実施するための形態】
【００２４】
次に、上記のように構成した本発明を、図面に示した実施の形態に係る正座用補助椅子１０について説明すると、この正座用補助椅子１０は、図１に示したように、椅子本体１１と、これを収納するための手提げ袋１２とからなっているものである。
【００２５】
椅子本体１１は、玩具安全基準に適合した可塑剤を使用した合成樹脂材料、所謂ビニール等の軟質材料によって形成したもので、図２の（ｂ）にも示したように、上下両面１１ａ・１１ｂ、側壁、及び内部の中吊り１３によって、気密化された１つの空気室１６を有するものである。この空気室１６内には、当該椅子本体１１の、例えば側壁や上面１１ａの一部に形成した空気口１７から空気を出入されるものであり、この空気室１６内が空気で十分満たされれば、図２に示したような状態に膨らむものである。勿論、空気口１７から空気室１６内の空気を抜けば、当該椅子本体１１は、図１の（ｂ）に示したように、小さく折り畳むこともできるものである。
【００２６】
また、この椅子本体１１は、上述したように、１つの空気室１６を、上下両面１１ａ・１１ｂ、側壁、及び内部の中吊り１３によって、気密化されたものとして形成しているものであるが、中吊り１３は、上下両面１１ａ・１１ｂが大きく膨らまないようにするとともに、そのままではその上下外側に開口する空間を形成するものである。そして、この中吊り１３の例えば下面１１ｂ側開口を、図２の（ｂ）にも示したように、当てシート１８によって封鎖することによって、空気を入れたときの下面１１ｂの引きつりを防止するものである。その結果、中吊り１３によって上面１１ａ側に形成されている開口は、図２の（ａ）にも示したように、開口されたままとなって、収納部１４となることになる。
【００２７】
この椅子本体１１に形成された収納部１４は、図３の（ａ）に示したように、手提げ袋１２の口部１２ａやこれを閉じるための閉じ紐１５の近傍に位置することになるから、図３の（ｂ）に示したように、これらの口部１２ａや閉じ紐１５を押し込むことができるものとなっているのである。
【００２８】
手提げ袋１２は、図１または図３の各（ａ）にて示すように、上述した椅子本体１１を、空気室１６への空気注入状体であっても収納できる大きさのものであり、その口部１２ａには、これを閉じるための閉じ紐１５が設けてある。なお、この実施形態の正座用補助椅子１０は、お葬式や法事用に開発されたものであるため、その手提げ袋１２は、喪服に合わせた黒地布によって形成してある。
【符号の説明】
【００２９】
１０    正座用補助椅子
１１    椅子本体
１１ａ  上面
１１ｂ  下面
１２    手提げ袋
１２ａ  口部
１３    中吊り
１４    収納部
１５    閉じ紐
１６    空気室
１７    空気口
１８    当てシート
【図１】
2011218031.tif 000003
【図２】
2011218031.tif 000004
【図３】
2011218031.tif 000005
【図４】
2011218031.tif 000006
【図５】
2011218031.tif 000007
【図６】
2011218031.tif 000008